(57)【要約】【課題】動画ぼやけ感を低減するとともに、フリッカーの発生を抑える。【解決手段】書き込まれた映像信号に応じた明るさを保持する画素を複数有する表示装置の駆動方法であって、ｎフレームのうち、第１期間において、マトリクス状に配列する複数の画素に対して当該ｎフレームの映像信号を順番に書き込み、残りの第２期間において、奇数行奇数列よび偶数行偶数列の画素に対して黒信号を書き込み、残りの画素に対して当該ｎフレームの映像信号を再度書き込み、（ｎ＋１）フレームのうち、第１期間において、複数の画素に対して当該（ｎ＋１）のフレームの映像信号を順番に書き込み、残りの第２期間において、奇数行奇数列よび偶数行偶数列の画素に対して（ｎ＋１）フレームの映像信号を再度書き込み、残りの画素に対して黒信号を書き込む。【選択図】図２
2009229553.tif 000002
【特許請求の範囲】
【請求項１】
書き込まれた映像信号に応じた明るさで保持する画素を複数有する表示装置の駆動方法であって、
一のフレームのうち、時間的の前方寄りの期間内において、前記複数の画素に対して当該一のフレームの映像信号を所定の順番に書き込み、
一のフレームのうち、残りの期間内において、前記複数の画素のうち、半分の画素に対して黒信号を書き込み、残りの半分の画素に対して当該一のフレームの映像信号を再度書き込み、
前記一のフレームの後のフレームにおいて、
当該後のフレームのうち、前方よりの期間内において、前記複数の画素に対して当該後のフレームの映像信号を順番に書き込み、
当該後のフレームのうち、残りの期間内において、前記複数の画素のうち、前記一のフレームにおいて前記黒信号を書き込んだ半分の画素に対して当該後のフレームの映像信号を再度書き込み、前記一のフレームにおいて映像信号を書き込んだ半分の画素に対して前記黒信号を書き込む
ことを特徴とする表示装置の駆動方法。
【請求項２】
前記複数の画素は、行および列方向にマトリクス状に配列し、
前記黒信号を書き込む画素を、前記行および列方向にわたって１画素おきとする
ことを特徴とする請求項１に記載の表示装置の駆動方法。
【請求項３】
書き込まれた映像信号に応じた明るさで保持する画素を複数有する表示装置であって、
一のフレームのうち、時間的に前方寄りの期間内において、前記複数の画素に対して当該一のフレームの映像信号を所定の順番に書き込み、
一のフレームのうち、残りの期間内において、前記複数の画素のうち、半分の画素に対して黒信号を書き込み、残りの半分の画素に対して当該一のフレームの映像信号を再度書き込み、
前記一のフレームの後のフレームにおいて、
当該後のフレームのうち、時間的に前方寄りの期間内において、前記複数の画素に対して当該後のフレームの映像信号を順番に書き込み、
当該後のフレームのうち、残りの期間内において、前記複数の画素のうち、前記一のフレームにおいて前記黒信号を書き込んだ半分の画素に対して当該後のフレームの映像信号を再度書き込み、前記一のフレームにおいて映像信号を書き込んだ半分の画素に対して前記黒信号を書き込む
ことを特徴とする表示装置。
【請求項４】
請求項３に記載の表示装置を有することを特徴とする電子機器。
【発明の詳細な説明】
【技術分野】
【０００１】
本発明は、いわゆるホールド型の表示装置の動画ぼやけ感を抑える技術に関する。
【背景技術】
【０００２】
アクティブマトリクス型の液晶装置などの電気光学装置は、１フレームの期間（１６．７ミリ秒）にわたって画像が保持されるホールド型である。このため、次のフレームに移行したとき、前のフレームの画像を視覚したときの記憶が残存するために、前後のフレームにおいて表示される画像に動きがあれば、その動き領域が、ぎくしゃくしたり、輪郭がぼやけたりして知覚される（動画ぼやけ感の発生）。
一方、ＣＲＴのように画像が瞬間的に表示されるインパルス型の表示装置では、前フレームで表示させた画像の記憶が、次フレームに移行したときには、もはや残存していないので、動画ぼやけ感は発生しない。そこで、ホールド型の電気光学装置においては、インパルス型の表示態様に似せるべく、映像信号を画素に順番に書き込んだ後に、黒画面を挿入する技術が知られている（特許文献１参照）。
【特許文献１】特開平４−３０２２８９号公報
【発明の開示】
【発明が解決しようとする課題】
【０００３】
しかしながら、この技術では、黒画面が挿入されると、画面の明るさが大きく変化するので、フリッカー（ちらつき）として視認されやすい、という問題がある。
本発明は、このような事情に鑑みてなされたもので、その目的の１つは、動画ぼやけ感の発生を抑えつつ、フリッカーが視認されにくい技術を提供することにある。
【課題を解決するための手段】
【０００４】
上記目的を達成するために、本発明に係る表示装置の駆動方法は、書き込まれた映像信号に応じた明るさで保持する画素を複数有する表示装置の駆動方法であって、一のフレームのうち、時間的に前方寄りの期間内において、前記複数の画素に対して当該一のフレームの映像信号を所定の順番に書き込み、一のフレームのうち、残りの期間内において、前記複数の画素のうち、半分の画素に対して黒信号を書き込み、残りの半分の画素に対して当該一のフレームの映像信号を再度書き込み、前記一のフレームの後のフレームにおいて、当該後のフレームのうち、時間的に前方の期間内において、前記複数の画素に対して当該後のフレームの映像信号を順番に書き込み、当該後のフレームのうち、残りの期間内において、前記複数の画素のうち、前記一のフレームにおいて前記黒信号を書き込んだ半分の画素に対して当該後のフレームの映像信号を再度書き込み、前記一のフレームにおいて映像信号を書き込んだ半分の画素に対して前記黒信号を書き込むことを特徴とする。本発明によれば、映像信号を複数の画素に順番に書き込んだ後に、半分の画素に対して黒色信号を書き込み、他の画素については直前の映像信号が再書き込みされるとともに、次のフレームでは黒色となる画素と映像信号を再度書き込む画素とが反転させるので、動画ぼやけ感の発生を抑えつつ、フリッカーが視認されにくくすることが可能となる。なお、ここでいう「フレーム」とは、ノンインターレース方式ではあれば、１垂直走査期間（Ｖ）であり、例えばインターレース方式であれば、奇数行目または偶数行目の画像を形成するのに要する１フィールドと同義である。
【０００５】
本発明において、前記複数の画素は、行および列方向にマトリクス状に配列し、前記黒信号を書き込む画素を、前記行および列方向にわたって１画素おきとする方法が好ましい。この方法によれば、黒色となる画素が平均化されることによってフリッカーの発生を最も抑えることが可能となる。
なお、本発明は、表示装置の駆動方法のみならず、表示装置としても、さらには、当該表示装置を有する電子機器としても概念することが可能である。
【発明を実施するための最良の形態】
【０００６】
以下、本発明の実施の形態について説明する。
この実施形態に係る駆動方法が適用される表示装置については、説明を簡略化するため、画素が縦２４行×横３２列のマトリクス状に配列した構成であるとする。
このような構成の表示装置１００は、図１に示されるように、２４行の走査線１１２と３２列のデータ線１１４とが互いに交差するように配列するとともに、各交差に対応して画素１１０が配列する一方、各画素１１０は、走査線１１２が選択されたときにデータ線に供給されたデータ信号の電圧を保持して、当該保持した電圧に応じて透過率または反射率が変化して階調を表現する。したがって、走査線１１２は、１、２、３、…、２４行目という順番で選択されるとともに、選択された走査線に対応する画素に対して、階調に応じた電圧のデータ信号を、データ線１１４を介して供給することによって目的とする画像を表示させることができる。
なお、ここでいうデータ信号は、例えば図示しない上位装置から供給されるとともに、同期信号にしたがって各画素の明るさを規定する映像信号を、画素を駆動するのに適した信号に変換したものである。例えばデータ信号は、表示装置１００が液晶表示装置であれば、階調に応じた正極性または負極性の電圧であり、アクティブマトリクス型の有機ＥＬ（Electro Luminescent）であれば、階調に応じた電流である。
【０００７】
このような前提となる表示装置１００に対する表示方法について説明する。図２は、本実施形態に係る表示方法について、走査線を単位とした書き込みの時間的な推移を示す図である。なお、１〜３２列の画素のうち、（ａ）は奇数列の画素の書き込みを、（ｂ）は偶数列の画素の書き込みを、それぞれ示している。
この図の（ａ）および（ｂ）において、縦軸は、それぞれ走査線の１〜２４行目に対応しており、また、■は、走査線が選択される期間を示している。ここで、フレームとは、上記上位装置から供給されるテレビジョン信号などの映像信号で規定される１垂直走査期間であり、このフレームに同期して表示装置１００では画素１１０に対するデータ信号の書き込みが進行する。なお、フレームは、例えば１６．７ミリ秒で一定である。
【０００８】
表示装置１００に画素を書き込む際に、各フレームは、時間的に前方寄りの第１期間と、時間的に後方寄りの第２期間とに分けられるとともに、第１期間の開始時において走査線が１〜２４行目から順番に選択され、第２期間の開始時においても走査線が同様に１〜２４行目から順番に選択される。
ここで、あるフレーム（便宜的に「ｎフレーム」としている）の第１期間における走査線の選択時には、１〜２４行目の画素に対して、当該ｎフレームに対応する映像信号に基づくデータ信号、すなわち、そのｎフレームで表示すべき画像の階調に応じたデータ信号が書き込まれる。したがって、１〜２４行目の画素は、書き込まれたデータ信号の電圧を保持して画像に応じた階調を表示することになる。
続いてｎフレームの第２期間における走査線の選択において、奇数行奇数列および偶数行偶数列の画素に対しては黒信号が書き込まれ、奇数行偶数列および偶数行奇数列の画素に対しては、当該ｎフレームに対応する映像信号に基づくデータ信号、すなわち、第１期間と同じデータ信号が再度書き込まれる。
ここで、黒信号とは、画素に書き込まれたときに、当該画素を黒色とさせる信号である。このため、奇数行偶数列および偶数行奇数列の画素は、引き続き第１期間と同じ階調を保持するが、奇数行奇数列および偶数行偶数列の画素は、強制的に黒色となる。
【０００９】
ｎフレームの次のフレーム（便宜的に「（ｎ＋１）フレーム」としている）の第１期間における走査線の選択時には、１〜２４行目の画素に対して、当該（ｎ＋１）フレームに対応する映像信号に基づくデータ信号が書き込まれる。
続いて（ｎ＋１）フレームの第２期間における走査線の選択において、奇数行奇数列および偶数行偶数列の画素に対しては、当該（ｎ＋１）フレームに対応する映像信号に基づくデータ信号が再度書き込まれ、奇数行偶数列および偶数行奇数列の画素に対しては、黒信号が書き込まれる。このため、奇数行奇数列および偶数行偶数列の画素は、引き続き第１期間と同じ階調を保持するが、奇数行偶数列および偶数行奇数列の画素は、強制的に黒色となる。
なお、（ｎ＋１）フレームでは、必要に応じて各画素に対する書込極性が反転される。
【００１０】
（ｎ＋１）フレームの次のフレームでは、再びｎフレームと同様な動作となり、以下、この繰り返しとなる。
【００１１】
図３は、このような書き込みによって表示される画像の変遷を示す図であり、ｎフレームからｎフレームにかけて「Ａ」という文字が右に移動するような動画を表示する場合を示している。
図において（ａ）は、ｎフレームの第１期間において１〜２４行目の走査線の選択が終了したタイミングＡにおける表示状態を示す図であり、（ｂ）は、ｎフレームの第２期間において全走査線の選択が終了したタイミングＢにおける表示状態を示す図である。また、（ｃ）は、（ｎ＋１）フレームの第１期間において全走査線の選択が終了したタイミングＣにおける表示状態を示す図であり、（ｄ）は、（ｎ＋１）フレームの第２期間において全走査線の選択が終了したタイミングＣにおける表示状態を示す図である。
【００１２】
この図に示されるように、タイミングＡでは、ｎフレームに対応する画像が表示された後、タイミングＢでは、ｎフレームの画像が奇数行奇数列および偶数行偶数列の黒画素でマスクされ、タイミングＣでは、（ｎ＋１）フレームに対応する画像が表示された後、タイミングＢでは、（ｎ＋１）フレームの画像が奇数行偶数列および偶数行奇数列の黒画素でマスクされることになる。
このように本実施形態によれば、各フレームの画像が表示された後に、市松模様の黒画素でマスク表示されるので、画像の残存感が低下して、動画ぼやけ感を低減することが可能となる。さらに、黒画素となる領域が半減するために明るさの変化も小さく、さらに、黒画素の市松模様もフレーム毎に切り替えられることから、このような明るさ変化によるフリッカーとして視認されにくくすることも可能となる。
【００１３】
なお、実施形態では、黒画素を市松模様としたが、１以上の所定行おきの黒行または所定列おきの黒列としても良い。
また、実施形態では、黒信号を、画素に書き込まれたときに、当該画素を黒色とさせる信号としたが、例えば映像信号で示される輝度に対して所定の係数を乗じて黒色側に変更した信号としても良いし、黒色と同等となる範囲の信号としても良い。
【００１４】
次に、上述した実施形態に係る表示装置を用いた電子機器の例として、上述した表示装置１００を、透過型ライトバルブとして用いたプロジェクタについて説明する。
図４は、このプロジェクタの構成を示す平面図である。この図に示されるように、プロジェクタ２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００１５】
ここで、ライトバルブ１００Ｒ、１００Ｇおよび１００Ｂの構成は、上述した実施形態における表示装置１００と同様であり、Ｒ、Ｇ、Ｂのそれぞれ対応する色信号でそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度で屈折する一方、Ｇ色の光は直進する。したがって、各色の画像が合成された後、スクリーン２１２０には、投射レンズ２１１４によってカラー画像が投射されることとなる。
【００１６】
なお、ライトバルブ１００Ｒ、１００Ｇおよび１００Ｂには、ダイクロイックミラー２１０８によって、Ｒ、Ｇ、Ｂの各原色に対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
【００１７】
また、電子機器としては、図４を参照して説明した他にも、直視型、例えば携帯電話や、パーソナルコンピュータ、テレビジョン、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る表示装置が適用可能なのは言うまでもない。
【図面の簡単な説明】
【００１８】
【図１】本発明の実施形態に係る表示装置の構成を示す図である。
【図２】同表示装置による書き込みの推移を示す図である。
【図３】同表示装置によって表示される画像を示す図である。
【図４】上記表示装置を適用したプロジェクタの構成を示す図である。
【符号の説明】
【００１９】
１００…表示装置、１１０…画素、１１２…走査線、１１４…データ線、２１００…プロジェクタ
【図１】
2009229553.tif 000003
【図２】
2009229553.tif 000004
【図３】
2009229553.tif 000005
【図４】
2009229553.tif 000006